(57)【特許請求の範囲】
【請求項１】
回転翼付き円筒の内周にコアとコイルが配置され中心に配線が可能な空洞が形成された発電機と、
この発電機の一端に上部スリップリングを介して配置され蓄電手段およびワイヤレス送信装置を備えた変換器と、
前記発電機の他端に下部スリップリングを介して配置された水質計と、
からなり、
前記発電機を測定成分を含む流水槽に浸漬して水流により前記回転翼を回転させて発電し、発電した電力を前記蓄電手段に蓄電し、蓄電された電力を前記空洞に配置された配線を介して前記水質計および前記変換器に供給するとともに、前記水質計で検出された測定信号を前記ワイヤレス送信装置に伝送して発信することを特徴とする無線式水質分析計。
【発明の詳細な説明】
【技術分野】
【０００１】
本発明は、液体が流れる箇所に設置され液体の水質を測定する無線式水質分析計に関し、自身で使用する電力を自家発電により賄うようにした無線式水質分析計に関する。
【背景技術】
【０００２】
図２は無線式水質分析計の一般的な構成を示すもので、１は水質を検出する水質計、２は被測定水が流れる槽（以下、流水槽）、３は水質計１を適正な水深を保つように固定する浸漬式ホルダー、４はスタンション、５は浸漬式ホルダー３を流水槽の端に立てられたスタンション４に固定する止め金具、６は変換器（伝送器）、７は変換器６の内部にあるワイヤレス送信装置、８は変換器６の内部にある電源装置、９は建屋、１０は流水槽２の陸上にあるスタンション４あるいは建屋９等に据え付けられる変換器、１１は変換器１０の内部にあるワイヤレス受信装置である。
【０００３】
上述の構成において、水質計１は、流水槽２内の水質データ（ＤＯ、ＭＬＳＳ、ｐＨ、ＯＲＰ等の計測値）を検出して、各種センサーがそれぞれ特殊な電気信号を発生する。その電気信号は、変換器６のワイヤレス送信装置７でワイヤレス信号に変換され無線送信される。水質計１とワイヤレス送信装置７は、電源装置８から電源が供給され、水質計１は外部からの電源供給なしに現場で独立稼働する。
【０００４】
ワイヤレス送信装置７から無線送信されるワイヤレス信号は、気中を伝搬し、流水槽２の陸上に設置される変換器１０の内部にあるワイヤレス受信装置１１で無線受信され、再度電気信号に変換され、変換器１０で共通信号（４〜２０ｍＡ等）に変換されて図示しない監視室等へ伝送される。
【先行技術文献】
【特許文献】
【０００５】
【特許文献１】特開２０００−１０２７９７号公報
【特許文献２】特開２０１１−３３５１１号公報
【発明の概要】
【発明が解決しようとする課題】
【０００６】
図３は図２で示す無線式水質分析計の配線関係の詳細を示すもので、矢印Ｓは信号伝送線を示し、矢印Ｐは電力供給線を示している。
図２に示すように、従来のセンサは無線式とはいえ、電力は変換器（伝送器）６から供給される電力を用いて水質計１内のセンサ部を駆動させていた。
低電力の２線式伝送器では電力が限られており、その限られた電力でセンサからの出力信号等の増幅を賄ってきた。
【０００７】
従って本発明は、水質計自身が独立して電力を発電することで、変換器（伝送器）からの電力供給を不要とするものであり、かつ独立した無線式水質分析計を提供することを目的としている。
【課題を解決するための手段】
【０００８】
本発明は上記課題を解決するためになされたもので、請求項１の無線式水質分析計においては、
回転翼付き円筒の内周にコアとコイルが配置され中心に配線が可能な空洞が形成された発電機と、
この発電機の一端に上部スリップリングを介して配置され蓄電手段およびワイヤレス送信装置を備えた変換器と、
前記発電機の他端に下部スリップリングを介して配置された水質計と、
からなり、
前記発電機を測定成分を含む流水槽に浸漬して水流により前記回転翼を回転させて発電し、発電した電力を前記蓄電手段に蓄電し、蓄電された電力を前記空洞に配置された配線を介して前記水質計および前記変換器に供給するとともに、前記水質計で検出された測定信号を前記ワイヤレス送信装置に伝送して発信することを特徴とする。
【発明の効果】
【００１１】
以上説明したことから明らかなように本発明によれば、
回転翼付き円筒の内周にコアとコイルが配置され中心に配線が可能な空洞が形成された発電機と、
この発電機の一端に上部スリップリングを介して配置され蓄電手段およびワイヤレス送信装置を備えた変換器と、
前記発電機の他端に下部スリップリングを介して配置された水質計と、
からなり、
前記発電機を測定成分を含む流水槽に浸漬して水流により前記回転翼を回転させて発電し、発電した電力を前記発電手段に蓄電し、蓄電された電力を前記空洞に配置された配線を介して前記水質計および前記変換器に供給するとともに、前記水質計で検出された測定信号を前記ワイヤレス送信装置に伝送して発信するので、変換器（伝送器）からの電力供給が不要となり、かつ独立した無線式水質分析計を提供することができる。
【図面の簡単な説明】
【００１２】
【図１】本発明の無線式水質分析計の一部断面構成図（ａ）及び（ａ）図のＡ−Ａ断面図（ｂ）である。
【図２】無線式水質分析計の一般的な構成を示す図である。
【図３】従来の無線式水質分析計の配線関係の詳細を示す図である。
【発明を実施するための形態】
【００１３】
図１は無線式水質分析計の一部断面構成図（ａ）及び（ａ）図のＡ−Ａ断面図（ｂ）である。
これらの図において、１は水質計、２０は変換器（伝送器）であり、この変換器２０内には、ワイヤレス送信装置２１、ＣＰＵ２１、プリアンプ２３などが収納されている。
【００１４】
２７は外周に複数（図では８枚）の回転翼２５が形成された回転翼付き円筒であり、この回転翼付き円筒内にはコア（鉄心相当）２８及びコイル２９が配置され、中心部の空洞３３には水質計１と変換器２０を接続する信号伝送線３０が配置されている。
【００１５】
３１は変換器２０と回転翼付き円筒２７の間に配置された上部スリップリング、３２は回転翼付き円筒２７と水質計１との間に配置された下スリップリングであり、回転翼付き円筒２７はコイル２９の外周を水密な状態を維持して回転可能な構成となっている。
【００１６】
上述の構成において、回転翼付き円筒２７を流水槽２内に浸漬すると水流により回転翼２５を介して回転翼付き円筒２７が回転する。この回転により円筒内に設けられたコイル２９が電極類の外側に設けられたコア部品２８の外側を回転しコイル内に電流を誘導する。誘導された電流はブラシ式端子によりプリアンプ部へ電力として伝送される。
【００１７】
プリアンプでは電力を図示しないコンデンサ類に蓄電する。このコンデンサ類に充電された電力を用いてＣＰＵ２２、水質計１を構成する電子部品に電力が供給され、水質計で計測された測定信号がワイヤレス送信装置を介して発信される。
【００１８】
上述のように無線式水質分析計が自家発電する事により、単独で自律的に測定、演算、信号伝送を行うことが出来、センサ自身への電力供給が不要になる。
即ち、低電力で測定、演算、信号伝送を行い変換器（伝送器）の電力使用を抑えることが出来る。
また、電極外側に設けられたコアによってシールド効果を高められることで、外部からのノイズに対しても耐性をもたせることができる。
【００１９】
なお、以上の説明は、本発明の説明および例示を目的として特定の好適な実施例を示したに過ぎない。例えば回転翼の形状は図では長方形状の板として８枚を示したが、回転翼の枚数はこれに限ることなく多くても少なくても良い。また、回転翼の形状も曲線でもよく斜め方向に取付けてもよい。従って本発明は、上記実施例に限定されることなく、その本質から逸脱しない範囲で更に多くの変更、変形を含むものである。
【符号の説明】
【００２０】
１    水質計
２    流水槽
３    ホルダー
４    ステータスＬＥＤ
５    止め金具
６、２０    変換器（伝送器）
７、２１  ワイヤレス送信装置
８    電源装置
９    建屋
１０  変換器
１１    ワイヤレス受信装置
１２  信号伝送線
１３  電力供給線
２２  ＣＰＵ
２３  プリアンプ
２５  回転翼
２７  回転翼付き円筒
２８  コア（鉄心）
２９  コイル
３０  信号伝送線
３１  上部スリップリング
３２  下部スリップリング
【図１】
0005729556.tif 000002
【図２】
0005729556.tif 000003
【図３】
0005729556.tif 000004